(57)【要約】【課題】複数の種類のカラーフィルタの配列パターンを有する複数のカラーホイールを備えた照明光学系およびそれを用いたプロジェクタを提供する。【課題手段】本発明に係る照明光学系は、光源からの光を用いて所望の領域を照明するものであって、少なくとも第１、第２のカラーホイール３０、３２と、第１、第２のカラーホイールを移動させる移動手段とを有し、第１、第２のカラーホイールは、それぞれ第１、第２のカラーフィルタの配列パターンを有し、かつ、第１、第２の駆動モータ５０を含み、第１または第２のカラーホイール３０、３２のいずれかが、移動手段により光源からの光路上に配される。【選択図】  図１
2004294985.tif 000002
【特許請求の範囲】
【請求項１】
光源からの光を用いて所望の領域を照明する照明光学系であって、
少なくとも第１、第２のカラーホイールと、
前記第１、第２のカラーホイールを移動させる移動手段とを有し、
前記第１、第２のカラーホイールは、それぞれ第１、第２のカラーフィルタの配列パターンを有し、
前記第１または第２のカラーホイールのいずれかが、前記移動手段により移動されて前記光源からの光路上に配される、照明光学系。
【請求項２】
前記光源と、前記第１および第２のカラーホイールとの間に、前記光源からの光を入射するライトトンネルが配される、請求項１に記載の照明光学系。
【請求項３】
前記光源と、前記第１および第２のカラーホイールとの間に、前記光源からの光を入射するインテグレータが配される、請求項１に記載の照明光学系。
【請求項４】
前記第１、第２のカラーホイールは、それぞれの中心部分に第１、第２の駆動モータを接続し、前記第１、第２のカラーホイールは、第１、第２の駆動モータが外側を向くように並んで配置され、前記移動手段は、前記第１または第２のカラーホイールを、前記第１、第２の駆動モータの回転軸と直交する方向に移動可能である、請求項１ないし３いずれかに記載の照明光学系。
【請求項５】
前記第１、第２のカラーホイールは、前記ライトトンネルまたは前記インテグレータの出射口側に配置される、請求項４に記載の照明光学系。
【請求項６】
前記第１、第２のカラーホイールは、前記ライトトンネルまたは前記インテグレータの入射口側に配置される、請求項４に記載の照明光学系。
【請求項７】
前記第１、第２のカラーホイールは、それぞれ中心部分に前記第１、第２の駆動モータを接続し、前記第１の、第２のカラーホイールは、それぞれ一直線状に配置される、請求項１ないし３いずれかに記載の照明光学系。
【請求項８】
一直線状に配置された第１、第２のカラーホイールは、前記ライトトンネルまたは前記インテグレータの出射口側または入射口側に配置される、請求項７に記載の照明光学系。
【請求項９】
第１、第２のカラーホイールが一直線上に配置されるとき、第１または第２のカラーホイールのいずれか一方に駆動モータが接続され、他方のカラーホイールは、該駆動モータから供給される駆動力によって回転可能である、請求項７または８に記載の照明光学系。
【請求項１０】
前記第１のカラーホイールは、前記ライトトンネルまたは前記インテグレータの入射口側に配され、前記第２のカラーホイールは、前記ライトトンネルまたは前記インテグレータの出射口側に配される、請求項１ないし３いずれかに記載の照明光学系。
【請求項１１】
前記第１のカラーホイールは、Ｒ、Ｇ、Ｂのカラーフィルタの配列パターンを含み、前記第２のカラーホイールは、Ｒ、Ｇ、Ｂ、Ｗのカラーフィルタの配列パターンを含む、請求項１ないし１０いずれかに記載の照明光学系。
【請求項１２】
前記カラーフィルタは、Ｒ、Ｇ、Ｂ、Ｗのガラス部材を貼りあわせることによって形成される、請求項１ないし１１いずれかに記載の照明光学系。
【請求項１３】
請求項１ないし１１いずれかに記載の照明光学系と、
前記照明光学系からの光を変調する変調手段と、
前記変調された光を投射する投射手段と、
を有するプロジェクタ。
【請求項１４】
前記変調手段は、ＤＭＤを含む、請求項１３に記載のプロジェクタ。
【発明の詳細な説明】
【０００１】
【発明の属する技術分野】
本発明は、プロジェクタ等の画像形成装置において用いられるカラーホイールに関し、特に、カラーホイールを用いた照明光学系およびその光学系を利用したＤＭＤ（Ｄｉｇｉｔａｌ  Ｍｉｒｒｏｒ  Ｄｅｖｉｃｅ）等の空間光変調装置を用いるＤＬＰ（Ｄｉｇｉｔａｌ  Ｌｉｇｈｔ  Ｐｒｏｃｅｓｓｉｎｇ：ＤＬＰはテキサス・インスツルメンツ社の登録商標）方式のプロジェクタに関する。
【０００２】
【従来の技術】
従来のＤＬＰ方式プロジェクタの構成を図１１に示す。同図に示すように、放電ランプ１０からの光は楕円鏡１２によって反射され、その反射光はライトトンネル１４によって光強度を均一化され、カラーホイール１６に入射される。カラーホイール１６は、同図（ｂ）に示すように、Ｒ、Ｇ、Ｂ、Ｗのカラーフィルタを配列した第１のタイプ１６ａと、それよりも外周にＲ、Ｇ、Ｂのカラーフィルタを配列した第２のタイプ１６ｂとを有し、その中心が図示しないモータによって回転される。さらに、カラーホイール１６は、図示されない駆動装置により半径方向Ｓに移動可能であり、その移動距離を調整することで、ライトトンネル１４からの出射光を、第１のタイプ１６ａまたは第２のタイプ１６ｂのいずれかに入射させるようになっている。カラーホイール１６からの光は、コンデンサレンズ１８、第１のミラー２０、第２のミラー２２によって反射され、ＤＭＤ２４を照射する。ＤＭＤ２４は、カラーホイール１６に同期して駆動され、画像データに応じて照射された光を変調し、変調された光は投影レンズ２６により拡大され、スクリーン上にカラー映像が表示される。
【０００３】
カラーホイール１６のいずれのタイプのカラーフィルタ１６ａ、１６ｂを使用するかは、プロジェクタの目的に応じてユーザにより選択可能である。例えば、明るい映像を投影したい場合には、Ｗのカラーフィルタを包含する第１のタイプ１６ａが選択され、高演色のカラー映像を望む場合には第２のタイプ１６ｂが選択される。この選択は、マニュアル操作によって行うことができる。
【０００４】
【発明が解決しようとする課題】
図１１に示すカラーホイール１６は、単一の基板上に２種類のカラーフィルタ１６ａ、１６を有するため、構造が簡単であり、かつこれを駆動するモータも１つでよいという利点を有している。しかしながら、現在の技術では、カラーフィルタを形成する場合、ガラス基板上に蒸着やスパッタリングの時に、フィルタの数（例えば、Ｒ、Ｇ、Ｂのカラーフィルタの場合には３回）に応じたマスク工程を必要とする。このため、１枚のカラーホイール上に、２つの仕様の異なるＲ、Ｇ、ＢおよびＲ、Ｇ、Ｂ、Ｗのフィルタパターンを形成する場合、製造工数が多くなり、カラーホイールのコストも高くなってしまう。さらに、第１のタイプのフィルタ１６ａの外周に第２のタイプのカラーフィルタ１６ｂを形成するため、カラーホイール１６の全体の径Ｄが大きくなってしまい、プロジェクタの小型化の障害となってしまう。さらに、複数のタイプのカラーフィルタを単一のカラーホイールに設けることで、カラーホイール１６の重量が重くなり、これを駆動するモータも大きくなってしまう。同時に、カラーホイールの回転バランスの調整も難しくなる。
【０００５】
そこで本発明は、上記従来の課題を解決し、複数のカラーフィルタの配列パターンを有する、低コストのカラーホイールを利用した照明光学系を提供することを目的とする。
さらに本発明は、複数のカラーフィルタの配列パターンを持ったカラーホイールを小型化し、同時にプロジェクタの小型化を図ることを目的とする。
【０００６】
【課題を解決するための手段】
本発明に係る照明光学系は、光源からの光を用いて所望の領域を照明するものであって、少なくとも第１、第２のカラーホイールと、前記第１、第２のカラーホイールを移動させる移動手段とを有し、前記第１、第２のカラーホイールは、それぞれ第１、第２のカラーフィルタの配列パターンを有し、第１または第２のカラーホイールのいずれかが、移動手段により移動されて前記光源からの光路上に配される。それぞれのカラーフィルタの配列パターンを有するカラーホイールを複数用意し、複数のカラーホイールの内のいずれかのカラーホイールを選択して使用することにより、従来と比較して、カラーホイールの径を小さくすることができ、またその重さも軽くすることができる。さらに、カラーホイールの製造コストも低減することができる。
【０００７】
好ましくは、光源と、第１および第２のカラーホイールとの間に、光源からの光を入射するライトトンネルが配される。あるいは、ライトトンネルの代わりにインテグレータを用いてもよい。
【０００８】
好ましくは、第１、第２のカラーホイールは、それぞれの中心部分に第１、第２の駆動モータを接続し、第１、第２のカラーホイールは、第１、第２の駆動モータが外側を向くように並んで配置され、移動手段は、第１または第２のカラーホイールを、第１、第２の駆動モータの回転軸と直交する方向に移動可能である。
【０００９】
第１、第２のカラーホイールは、ライトトンネルまたは前記インテグレータの出射口側に配置されるものであってもよい。あるいは、第１、第２のカラーホイールは、ライトトンネルまたはインテグレータの入射口側に配置されるものであってもよい。あるいは、第１、第２のカラーホイールは、中心部分に第１、第２の駆動モータを接続し、第１、第２のカラーホイールは、ほぼ一直線状に配置されるものであってもよい。一直線状の第１、第２のカラーホイールは、ライトトンネルまたはインテグレータの出射口側または入射口側に配置されるものでもよい。第１、第２のカラーホイールが一直線上に配置されるとき、第１または第２のカラーホイールのいずれか一方に駆動モータが接続され、他方のカラーホイールは、該駆動モータから供給される駆動力によって回転可能である。例えば、歯車機構やベルト駆動を用いることができる。さらに、第１のカラーホイールが、ライトトンネルまたはインテグレータの入射口側に配され、第２のカラーホイールが、ライトトンネルまたはインテグレータの出射口側に配されるものでもよい。
【００１０】
第１のカラーホイールは、Ｒ、Ｇ、Ｂのカラーフィルタの配列パターンを含み、第２のカラーホイールは、Ｒ、Ｇ、Ｂ、Ｗのカラーフィルタの配列パターンを含む。好ましくは、カラーフィルタは、Ｒ、Ｇ、Ｂ、Ｗのガラス部材を貼りあわせることによって形成され、これにより、より低コスト、軽量化を図ることができる。
【００１１】
本発明に係るプロジェクタは、上述した照明光学系と、照明光学系からの光を変調する変調手段と、変調された光を投射する投射手段とを備える。変調手段は、好ましくはＤＭＤを含む。このような照明光学系を用いることでプロジェクタの小型化を図ることができる。
【００１２】
【発明の実施の形態】
以下、本発明の実施の形態に係る照明光学系およびそれを用いたプロジェクタについて説明する。図１は、第１の実施の形態に係る照明光学系を示す図であり、それぞれ異なるカラーフィルタの配列パターンを有する２つのカラーホイール３０、３２を備えている。なお、図１１の構成と同一のものについては同一番号を付している。
【００１３】
ライトトンネル１４の出射口側に、カラーホール３０、３２が並列に配置され、いずれか一方のカラーホイールが、ライトトンネル１４からの光路上に置かれる。図２にカラーホイール３０、３２の構成を示す。一方のカラーホイール３０は、Ｒ（赤）、Ｇ（緑）、Ｂ（青）のカラーフィルタの配列パターンを有し、他方のカラーホイール３２は、Ｒ、Ｇ、Ｂのカラーフィルタに加え、Ｗ（白または透明色）のカラーフィルタの配列パターンを有する。カラーホイール３０は、主として高演色性の映像を表示するときに用いられ、カラーホイール３２は、例えば、白黒表示の文字やグラフ等の、明るい映像を必要とするときに主に用いられる。
【００１４】
図２（ｂ）は、カラーホイール３０のＸ−Ｘ線断面図である。カラーホイール３０は、支持部材４０と、支持部材４０の周縁部に取り付けられた３つのフィルタ部材４２、４４、４６とを含む。支持部材４０は、その中央に円形状の開口が形成された環状の部材であり、例えばアルミニウム、鉄等の金属から構成される。支持部材４０の開口には、同図（ｃ）に示すモータ５０のローターが結合され、モータ５０の回転駆動によりカラーホイール３０が回転される。
【００１５】
支持部材４０の表面の周縁部にカラーフィルタ部材４２、４４、４６が取り付けられる。フィルタ部材４２は、主として赤（Ｒ）成分の波長の光を透過し、フィルタ部材４４は、主として緑（Ｇ）成分の波長の光を透過し、フィルタ部材４６は、主として青（Ｂ）成分の波長の光を透過する。フィルタ部材４２、４４、４６は、例えばガラス部材によって構成され、ガラスに含まれる物質を適宜選択することで透過する光に応じたフィルタ機能を持たせることができる。ガラスは、一般に光透過率が高いために、光吸収の損失を小さくすることができ、また、耐熱性が高いために、カラーホイールへ入射される光の口径を小さくすることができる。
【００１６】
フィルタ部材４２、４４、４６は、板厚が１ｍｍであり、それぞれが１２０度の内角を有し、同一の扇型形状を有している。フィルタ部材４２、４４、４６の裏面を、支持部材４０の周縁部に接着剤等により固定することで、安価で、軽量のカラーホイールを簡単に作ることができる。図２（ｂ）のカラーホイール３２も、カラーホイール３０と同様に形成される。なお、白（Ｗ）のフィルタ部材４８は、透明なガラスを用いることができる。
【００１７】
このように形成されたカラーホイール３０、３２の支持部材４０の開口に、モータ５０がそれぞれ結合され、これらのモータ付きのカラーホイール３０、３２が、ライトトンネル１４の出射口に配置され、出射光がカラーホイール３０、３２に対して略垂直に入射される。
【００１８】
カラーホイール３０、３２は、後述する駆動装置によって、回転軸と直交する方向Ｓ１、Ｓ２にそれぞれ移動可能である。カラーホイール３０、３２は、駆動装置によって所定の位置に移動されると、ライトトンネル１４からの出射光を入射し、それ以外の退避位置に移動されると、ライトトンネル１４からの出射光を入射しない。図１に示す例では、カラーホイール３０が、ライトトンネル１４からの出射光線を入射する位置にあり、カラーホイール３２が、ライトトンネル１４からの出射光線を入射しない退避位置にある。
【００１９】
カラーホイール３０、３２は、それぞれが突出したモータ５０を含む構成であるため、モータが外向きになるように並んで配置することが望ましい。つまり、互いのモータが邪魔とならないように、カラーフィルタの面を向かい合わせることで、スペースを削減することができ、かつ、ライトトンネル１４からの光の利用効率を改善する。例えば、ライトトンネル１４からカラーホイール３０までの距離ａは、１．０ｍｍ以下（ａ≦１．０ｍｍ）、カラーホイール３０と３２までの距離ｂは、０．５ｍｍ以下（ｂ≦０．５ｍｍ）であることが望ましい。また、カラーホイール３０、３２の厚さｔは０．７ｍｍ（ｔ＝０．７ｍｍ）である。これにより、ライトトンネル１４からカラーホイール３２までの距離ｃは２．２ｍｍ以下（ｃ≦２．２ｍｍ）である。
【００２０】
光を入射するように選択されたカラーホイールは、モータ５０の駆動によって回転される。選択されないカラーホイールのモータ５０は駆動されない。ライトトンネル１４は、所定のアスペクト比の出射口を有し、そこからの光線束がカラーフィルタに入射され、そこから順次、Ｒ、Ｇ、Ｂ（またはＷ）の光が出射される。上述したように、高演色のカラー映像を表示させる場合には、カラーホイール３０が選択され、明るい映像を表示させる場合には、カラーホイール３２が選択することができる。なお、図１では、カラーホイール３０を、ライトトンネル１４の出射口側に近接して配置させたが、カラーホイール３２を出射口側に近接して配置することも可能である。
【００２１】
図３は、本発明の第２の実施の形態に係る照明光学系を示す図である。第２の実施の形態では、カラーホイール３０、３２を、ライトトンネル１４の入射口側に並列に配する。それ以外の構成は、第１の実施の態様のときと同様である。
【００２２】
図４は、本発明の第３の実施の形態に係る照明光学系を示す図である。第３の実施の形態では、カラーホール３０、３２が、ライトトンネル１４の出射口側においてほぼ一直線上に配される。カラーホイール３０、３２のいずれかが、移動装置によって移動され、ライトトンネル１４の出射口の光路上に置かれる。また、カラーホイール３０、３２が一直線上に配置されるとき、カラーホイール３０、３２の一方にのみモータを接続し、他方のカラーホイールは、そのモータと歯車接続あるいはベルト駆動によって回転されるようにしてもよい。
【００２３】
図５は、本発明の第４の実施の形態に係る照明光学系を示す図である。第４の実施の形態では、カラーホイール３０、３２が、ライトトンネル１４の入射口側においてほぼ一直線上に配される。この場合にも、駆動モータを一つにすることも可能である。
【００２４】
図６は、本発明の第５の実施の形態に係る照明光学系を示す図である。第５の実施の形態では、カラーホイール３０がライトトンネル４０の入射口側に配され、カラーホイール３２が、ライトトンネル１４の出射口側に配される。カラーホイール３０、３２を移動することで、カラーホイールのいずれかが光路上に置かれる。また、上記とは反対に、カラーホイール３２をライトトンネル１４の入射口側に配置し、カラーホイール３０をライトトンネル１４の出射口側に配置しても良い。
【００２５】
図７は、カラーホイールを移動するための移動機構の一例を示す。図７（ａ）、（ｂ）に示すように、ホルダー６０は、上下に一対のスロット状の水平溝６２を有し、その間にカラーホイール３０を保持する。水平溝６２内には固定ピン６４が収容され、ホルダー６０の先端にレバー６６が形成されている。レバー６６を、例えば、プロジェクタのケース面６８から突出させ、レバー６６を水平方向に移動（Ｓ１方向）させることで、カラーホイール３０を同図（ａ）の位置から同図（ｂ）に位置へ、あるいは反対に、同図（ｂ）の位置から同図（ａ）の位置へ移動させることができる。例えば、カラーホイール３０が同図（ａ）の位置にあるとき、ライトトンネル１４からの光がカラーホイール３０に入射されるようにし、同図（ｂ）の位置にあるとき、ライトトンネル１４からの光が入射されない対比位置とすることができる。カラーホイール３２についても同様のホルダー６０を用いることでＳ２方向の移動を行うことができる。第１の実施の形態（図１）や第２の実施の形態（図３）の場合には、カラーホイール３０、３２を保持した一対のホルダー６０を用意し、ホルダー６０を並列に配置させ、各ホルダー６０を個別に移動させる。
【００２６】
図７（ｃ）、（ｄ）の例では、１つのホルダー６０が、２つのカラーホイール３０、３２を保持している。図中、Ｂの矩形状の波線は、ライトトンネル１４の入射口または出射口の光路を示しており、ホルダー６０が図（ｃ）の位置にあるとき、カラーホイール３２が光路上に置かれ、図（ｄ）の位置にあるとき、カラーホイール３０が光路上に置かれる。第３の実施の形態（図３）および第４の実施の形態（図５）の場合に、このようなホルダーを用いることが望ましい。
【００２７】
図８に、カラーホイールを移動するための移動装置の例を示す。図８（ａ）に示す移動装置は、駆動制御部７０と、駆動制御部７０によって動作を制御される駆動モータ７１と、駆動モータ７１と駆動軸７２を介して接続されたホルダー７３と、位置検出センサー７４とを有する。ホルダー７３には、カラーホイール３０および３２が保持される。駆動モータ７１を正転または反転させることで、駆動軸７２を介してホルダー７２が水平方向Ｓ１（Ｓ２）に移動される。位置検出センサー７４は、ホルダー７３の位置を検出し、その検出結果を駆動制御部７０に出力する。駆動制御部７０は、この検出結果から、カラーホイール３０または３２のいずれかを、ライトトンネル１４の出射口または入射口の光路上に置くように、駆動モータ７１を制御する。
【００２８】
図８（ｂ）は他の移動装置の構成例を示す図である。カラーホイール３０、３２を保持する円盤状のホルダー７３ａが回転可能に駆動モータ７１に接続される。ホルダー７３ａの位置は、位置検出センサー７４によって検出され、駆動制御部７０は、その検出結果に基づき駆動モータ７１を制御し、カラーホイール３０または３２がライトトンネル１４の出射口または入射口の光路Ｂ上に位置決めされる。
【００２９】
また、カラーホイール３０および３２の対応する位置に、切り欠き等の位置決めマーク７５ａ、７５ｂを形成し、この位置決めマーク７５ａまたは７５ｂを検出することで、カラーホイール３０または３２のいずれかを選択し、選択されたカラーホイールに光を入射させるようにしてもよい。
【００３０】
図９は、図１に示す照明光学系を利用したプロジェクタの光学系の構成を示す図である。すなわち、放電ランプ１０の光は、リフレクター１２によって反射されてライトトン得る１４に入射される。ライトトンネル１４からの光は、選択されたカラーホイールによってＲ、Ｇ、Ｂ、（またはＷ）に分別され、その光は集光レンズ１８、第１のミラー２０、第２のミラー２２を介して、ＤＭＤ２４に照射される。ＤＭＤ２４によって変調された光は、投影レンズ２６によって拡大してスクリーン上に投射される。
【００３１】
図１０は、本発明のプロジェクタの内部構成を示すブロック図である。ＤＬＰ方式のプロジェクタ１００は、画像信号１１１を入力しＤＭＤと同じ画素数のＲＧＢデジタル画像データに変換する前処理部１１０と、前処理部１１０からのデジタル画像データに基づきＤＭＤ１５０の駆動を制御するとともにランプ駆動回路１３０及びカラーホイール駆動部１４０等の制御を行う制御部１２０とを有する。ランプ駆動回路１３０は、光源としての放電ランプ１６０の起動及び起動後の放電ランプのＡＣ駆動を制御する。
【００３２】
カラーホイール駆動部１４０は、放電ランプ１６０からの光をＲＧＢ（またはＷ）に変換させるためにモータ付きカラーホイール３０または３２を回転させる。カラーホイール駆動部１４０はさらに、カラーホイール３０、３２をＳ１、Ｓ２方向へ移動するための移動装置（図８）を含むものであってもよい。ＤＭＤ１５０は、カラーホイール３０、３２から順次ＲＧＢ（またはＷ）に変換された光によって光学系１７０を介して照射され、光の変調を行う。投射光学系１８０は、ＤＭＤ１５０からの反射光を拡大投射しスクリーン上に画像を表示させる。センサー１９０は、カラーホイール３０または３２のいずれのカラーホイールが選択されているかを識別し、その結果を制御部１２０へ出力する。
【００３３】
カラーホイール３０、３２は、カラーホイール駆動部１４０によって回転されるとともに、回転軸と直交する方向に移動され、カラーフィルタの面は、ライトトンネル１４と平行関係を維持する。例えば、ユーザによって、表示モードの選択が行われ、高演色を希望する指示が入力されると、カラーホイール駆動部１４０によりカラーホイール３０が選択され、ライトトンネル１４からの出射光がカラーホイール３０に入射される。また、明るい表示モードが選択されると、カラーホイール駆動部１４０によってカラーホイール３２が選択され、ライトトンネル１４からの出射光がカラーホイール３２に入射される。
【００３４】
センサー１９０は、例えば、カラーホイール３０または３２の位置をチェックすることで、いずれのカラーホイールが選択されているのかを判別し、この結果を制御部１２０へ送る。制御部１２０は、カラーホイール３０または３２に応じてこれと同期したタイミングでＤＭＤ１５０を制御する。また、制御部１２０は、センサー１９０からの検出結果を監視し、ユーザからの表示モードの指示入力があったときは、その指示に合致するカラーホイールが選択されるように、カラーホイール駆動部１４０を制御するものであってもよい。
【００３５】
以上のように本発明の好ましい実施の形態について詳述したが、本発明は特定の実施形態に限定されるものではなく、特許請求の範囲に記載された本発明の要旨の範囲内において、種々の変形・変更が可能である。例えば、カラーホイールに配列されるカラーフィルタの配列パターンやサイズは、その目的に応じて適宜変更され得る。さらに、上記実施の態様では、２つのカラーホイールを用いた例を説明したが、これに限らず、それ以上の数のカラーホイールを有するものであってもよい。さらに、カラーホイールの移動機構あるいは移動装置は、上述の例の限るものではなく、これ以外の機構や装置を用いるものであってもよい。例えば、歯車やベルト機構を用い、カラーホイール駆動モータ１個を用いて複数のカラーホイールを駆動することもできる。さらに、図１において、ライトトンネル１４とカラーホイール３０、３２の距離ａ、ｂをさらに短くし、その光の利用効率を向上させるために、カラーホイールの互いに対向する面には限りなく凹凸面が生じないようにすることが望ましい。さらに、ライトトンネルの代わりに、ロッド状のインテグレータを用いることも可能である。
【００３６】
【発明の効果】
以上説明したように本発明によれば、異なるカラーフィルタの配列パターンを有する複数のカラーホイールを用意し、複数のカラーホイールのいずれかを選択して使用するようにしたので、従来と比較して、カラーホイールの径を小さくすることができ、小型化、軽量化を図ることができる。これにより、照明光学系の小型化、省スペース化が可能となり、プロジェクタの小型化を図ることができる。さらに、個別にカラーホイールを形成することで、従来よりもその製造工程が簡素化され、カラーホイールのコストを低減することができる。
【図面の簡単な説明】
【図１】本発明の第１の実施の形態に係る照明光学系を示す図である。
【図２】図１に示すカラーホイールの構成を示し、同図（ａ）はその平面図、同図（ｂ）はＸ１−Ｘ１線断面図、同図（ｃ）はモータが接続された例を側面図である。
【図３】本発明の第２の実施の形態に係る照明光学系を示す図である。
【図４】本発明の第３の実施の形態に係る照明光学系を示す図である。
【図５】本発明の第４の実施の形態に係る照明光学系を示す図である。
【図６】本発明の第５の実施の形態に係る照明光学系を示す図である。
【図７】カラーホイールの移動機構の例を示す図である。
【図８】カラーホールの移動装置の構成例を示す図である。
【図９】本発明に係る照明光学系を用いたプロジェクタの光学系を示す図である。
【図１０】プロジェクタの内部構成を示すブロック図である。
【図１１】従来のプロジェクタの構成を示す図である。
【符号の説明】
１０    放電ランプ              １２    リフレクター
１４    ライトトンネル          １６    カラーホイール
１８    コンデンサレンズ        ２０    ミラー
２２    ミラー                  ２４    ＤＭＤ
２６    投影レンズ              ３０    カラーホイール
３２    カラーホイール          ４０    支持部材
４２    カラーフィルタ（Ｒ）    ４４    カラーフィルタ（Ｇ）
４６    カラーフィルタ（Ｂ）    ４８    カラーフィルタ（Ｗ）
５０    モータ                  ６０    ホルダー
６６    レバー                  ７０    駆動制御部
７１    モータ                  ７３    ホルダー
１００  プロジェクタ            １２０  制御部
１３０  ランプ駆動回路          １４０  カラーホイール駆動部
１５０  ＤＭＤ                  １６０  ランプ
１９０  センサ
【図１】
2004294985.tif 000003
【図２】
2004294985.tif 000004
【図３】
2004294985.tif 000005
【図４】
2004294985.tif 000006
【図５】
2004294985.tif 000007
【図６】
2004294985.tif 000008
【図７】
2004294985.tif 000009
【図８】
2004294985.tif 000010
【図９】
2004294985.tif 000011
【図１０】
2004294985.tif 000012
【図１１】
2004294985.tif 000013